(57)【要約】【課題】  製作及び組立が容易で、圧縮機の振動時にバネが離脱することを防止し、圧縮機の支持性能及び防振効果を向上し得る圧縮機の支持装置を提供する。【解決手段】  圧縮機１０に連結される第１支持部材２０と、第１支持部材２０と所定間隔を有して配置されてベース１６に固定される第２支持部材３０と、第１支持部材２０と第２支持部材３０との間に配置され、その両方端がそれら第１支持部材２０及び第２支持部材３０に接触して支持されるバネ４０と、バネ４０が第１支持部材２０及び第２支持部材３０から離脱しないように、それら第１支持部材２０と第２支持部材３０との間を連結する少なくとも一つ以上の連結部材５０と、を含んで圧縮機の支持装置を構成する。【選択図】      図１
2005214413.tif 000002
【特許請求の範囲】
【請求項１】
圧縮機に連結された第１支持部材と、
該第１支持部材と所定間隔を有して配置されてベースに固定された第２支持部材と、
前記第１支持部材と前記第２支持部材との間に配置され、その両方端がそれら第１支持部材及び第２支持部材に接触して支持されるバネと、
該バネが前記第１支持部材及び前記第２支持部材から離脱しないように、それら第１支持部材と第２支持部材との間を連結する少なくとも一つ以上の連結部材と、
を含んで構成されることを特徴とする圧縮機の支持装置。
【請求項２】
前記連結部材は、弾性材料から形成され、前記第１支持部材及び前記第２支持部材と一体に形成されることを特徴とする請求項１記載の圧縮機の支持装置。
【請求項３】
前記連結部材は、前記第１支持部材及び前記第２支持部材の周方向に複数個が所定間隔を有して立設されることを特徴とする請求項２記載の圧縮機の支持装置。
【請求項４】
前記第１及び第２支持部材の前記バネの両方端と夫々接触する面には、前記バネの両方端の一部が挿入されるバネ支持溝が形成されることを特徴とする請求項２記載の圧縮機の支持装置。
【請求項５】
前記バネ支持溝は、平面投影時、リング状に形成されることを特徴とする請求項４記載の圧縮機の支持装置。
【請求項６】
前記バネ支持溝の周部には、前記第１及び第２支持部材が互いに対向する方向に延長される突出部が形成されることを特徴とする請求項４記載の圧縮機の支持装置。
【請求項７】
前記突出部には、前記バネ支持溝に向かって傾斜するように形成されるガイド面が形成されることを特徴とする請求項６記載の圧縮機の支持装置。
【請求項８】
前記ガイド面に繋がる前記突出部の端部は、前記バネの中心軸と垂直をなす平面に形成されることを特徴とする請求項７記載の圧縮機の支持装置。
【請求項９】
前記バネの中心軸と対向する前記連結部材の内面には、前記バネの外周面が接触することを特徴とする請求項２記載の圧縮機の支持装置。
【請求項１０】
前記バネの両方端と接触する前記第１支持部材及び前記第２支持部材の各面は、平面に形成されることを特徴とする請求項９記載の圧縮機の支持装置。
【請求項１１】
前記バネの中心軸と対向する前記連結部材の内面は、前記バネの外周面の曲率と同様な曲率を有する曲面に形成されることを特徴とする請求項９記載の圧縮機の支持装置。
【請求項１２】
前記連結部材の外面に、前記バネの内周面が接触することを特徴とする請求項２記載の圧縮機の支持装置。
【請求項１３】
前記バネの両方端と接触する前記第１支持部材及び前記第２支持部材の各面は、平面に形成されることを特徴とする請求項１２記載の圧縮機の支持装置。
【請求項１４】
弾性を有する前記連結部材の外面は、前記バネの内周面の曲率と同様な曲率を有する曲面に形成されることを特徴とする請求項１２記載の圧縮機の支持装置。
【発明の詳細な説明】
【技術分野】
【０００１】
本発明は、圧縮機の支持装置に関するものであり、詳しくは、組立が容易であって、支持性能及び防振効果を向上し得る圧縮機の支持装置に関するものである。
【背景技術】
【０００２】
図８に示したように、従来の圧縮機の支持装置は、圧縮機１０の一方側から延長されたブラケット１２と、該ブラケット１２に形成された結合孔１４に挿入されることで連結される第１支持部材１２０と、該第１支持部材１２０から所定間隔を有して、前記圧縮機１０が支持されるベース１６に設置された第２支持部材１３０と、前記第１支持部材１２０及び第２支持部材１３０の中央を夫々貫通して前記ベース１６に固定された固定軸６０と、前記第１支持部材１２０と第２支持部材１３０との間に介在されて、前記圧縮機１０を支持すると共に該圧縮機１０の振動を吸収するバネ１４０と、を含んで構成されている。
【０００３】
且つ、前記第１支持部材１２０の上方側には、該第１支持部材１２０が前記ブラケット１２の結合孔１４に円滑に挿入されるように、その周部に沿って所定角度の傾斜面を有するヘッド部１２４が形成され、該ヘッド部１２４の下方側には、前記ブラケット１２の結合孔１４に挿入されるように、その半径方向に沿って陥没されたブラケット固定部１２６が形成される。
【０００４】
また、前記第１及び第２支持部材１２０、１３０は、ゴムのような弾性を有する連結部材により夫々形成される。且つ、前記第１及び第２支持部材１２０、１３０の中央には、前記固定軸６０が挿入される軸孔１２８、１３８が形成され、前記第１及び第２支持部材１２０、１３０のバネ１４０と対向する面には、該バネ１４０の両方端が夫々挿入されて結合されるように、リング状のバネ支持溝１２３、１３３が夫々形成される。
【０００５】
また、前記固定軸６０の上部には、その周囲に沿って陥没されるリング溝６２が形成され、該リング溝６２には、スナップリング６４が嵌合されて、前記第１支持部材１２０が前記固定軸６０から離脱することを防止するようになっていた。
【発明の開示】
【発明が解決しようとする課題】
【０００６】
しかしながら、このような従来の圧縮機の支持装置においては、前記第１支持部材１２０及び第２支持部材１３０を夫々別に製作し、前記バネ１４０に比較的大きい力を加えながら該バネ１４０の両方端を前記バネ支持溝１２３、１３３に夫々挿入して結合するために、製作及び組立工程に多くの時間及び努力が必要であるという問題点があった。
【０００７】
また、圧縮機１０の過度な振動などにより、前記バネ１４０に所定値以上の変位が発生するか、または外力が過度に作用する場合には、前記バネ１４０の両方端が前記バネ支持溝１２３、１３３から離脱しやすいという問題点があった。
【０００８】
本発明は、このような従来の課題に鑑みてなされたものであり、製作及び組立が容易であって、圧縮機の振動時にバネが離脱することを防止し、圧縮機の支持性能及び防振効果を向上し得る圧縮機の支持装置を提供することを目的とする。
【課題を解決するための手段】
【０００９】
このような目的を達成するために、本発明に係る圧縮機の支持装置は、圧縮機に連結された第１支持部材と、該第１支持部材と所定間隔を有して配置されてベースに固定された第２支持部材と、前記第１支持部材と前記第２支持部材との間に配置され、その両方端がそれら第１支持部材及び第２支持部材に接触して支持されるバネと、該バネが前記第１支持部材及び前記第２支持部材から離脱しないように、それら第１支持部材と第２支持部材との間を連結する少なくとも一つ以上の連結部材と、を含んで構成されることを特徴とする。
【発明の効果】
【００１０】
本発明に係る圧縮機の支持装置においては、バネの両方端が夫々支持される支持部材を相互に連結する弾性を有する連結部材が備えられることで、圧縮機の振動によりバネが移動または座屈(buckling)したり、そのバネの両方端が前記支持部材から離脱したりすることを防止し、それにより、圧縮機の支持性能及び防振効果を向上し得るという効果がある。
【発明を実施するための最良の形態】
【００１１】
以下、本発明に係る圧縮機の支持装置の最良の形態を図面に基づいて説明する。
第１実施形態
図１〜図３に示したように、本発明に係る圧縮機の支持装置の第１実施形態においては、圧縮機１０の一方側から延長されたブラケット１２と、該ブラケット１２に形成された結合孔１４に挿入されることで連結される第１支持部材２０と、該第１支持部材２０と所定間隔を有して配置され、前記圧縮機１０が支持されるベース１６に固定される第２支持部材３０と、前記第１支持部材２０及び第２支持部材３０の各中央を貫通して前記ベース１６に固定された固定軸６０と、前記第１支持部材２０と第２支持部材３０との間に配置され、その両方端がそれら第１支持部材２０及び第２支持部材３０に夫々接触された状態で支持されて、前記圧縮機１０を支持すると共に該圧縮機１０の振動を吸収するバネ４０と、前記第１支持部材２０と第２支持部材３０との間に立設されて、それら第１支持部材２０と第２支持部材３０とを一体に連結する少なくとも一つ以上の弾性の連結部材５０と、を含んで構成されている。
【００１２】
また、前記第１支持部材２０は、実質的に円板状に形成され、前記バネ４０の一方端が接触して支持されるバネ支持部２２と、該バネ支持部２２の前記ブラケット１２の結合孔１４と対向する一方側に形成され、前記第１支持部材２０が前記結合孔１４に円滑に挿入されるように、その周囲に沿って所定角度の傾斜面を有するヘッド部２４と、前記バネ支持部２２とヘッド部２４との間で前記ブラケット１２の結合孔１４に挿入されるように、その半径方向に沿って内側に陥没されたブラケット固定部２６と、を含んで構成される。且つ、前記第１支持部材２０の中央には、前記固定軸６０が貫通する貫通孔２８が形成されている。
【００１３】
ここで、前記第１支持部材２０のヘッド部２４は、前記ブラケット１２の結合孔１４に挿入されるように、合成樹脂などの弾力性を有する材料により形成される。且つ、前記第１支持部材２０のバネ支持部２２の前記バネ４０の一方端と接触する面は、平面に形成しても良い。
【００１４】
また、前記第２支持部材３０は、実質的に円板状に形成され、前記バネ４０の他方端が接触して支持され、その中央に前記固定軸６０が貫通する貫通孔３８が形成されたバネ支持部３２を含んで構成される。且つ、該バネ支持部３２の前記バネ４０の他方端と接触する面は、平面に形成しても良い。
【００１５】
また、前記固定軸６０は、前記第１支持部材２０と結合されるように、該固定軸６０の周囲に沿って陥没されるリング溝６２が形成され、該リング溝６２にはスナップリング６４が嵌合されて、前記第１支持部材２０が前記固定軸６０から離脱することを防止する。且つ、前記固定軸６０は、ネジなどの締結手段または熔接などの方法により前記ベース１６に結合固定される。
【００１６】
また、前記連結部材５０は、前記第１支持部材２０のバネ支持部２２から前記第２支持部材３０のバネ支持部３２へ延長形成され、それら第１及び第２支持部材２０、３０と一体に製作することが好ましい。
【００１７】
且つ、前記連結部材５０は、前記第１及び第２支持部材２０、３０の周部に沿って複数個形成され、このとき、それら複数個の連結部材５０は弾性材料から形成される。従って、前記バネ４０を前記第１支持部材２０と第２支持部材３０との間に介在させる場合には、前記バネ４０の進入により前記連結部材５０が弾性変形して前記連結部材５０間の間隔Ｄが拡大されることで、前記バネ４０が前記連結部材５０の間を通過して、前記第１支持部材２０と第２支持部材３０との間に介在されるようになる。
【００１８】
また、前記バネ４０が前記第１支持部材２０と第２支持部材３０との間に完全に介在された後には、前記連結部材５０は、その弾性的性質により初期の状態を維持するようになる。
【００１９】
また、前記連結部材５０は、前記圧縮機１０が振動する場合、前記バネ４０がその中心軸Ｃの垂直方向に移動したり、前記バネ４０が座屈したり、または前記バネ４０の両方端が前記第１及び第２支持部材２０、３０のバネ支持部２２、３２から離脱したりすることを防止する。
【００２０】
従って、前記連結部材５０は、前記バネ４０の中心軸Ｃと対向する前記連結部材５０の内面５４と前記バネ４０の外周面とが相互に接触するように設置され、ここで、前記バネ４０の中心軸Ｃと対向する前記連結部材５０の内面５４は、前記バネ４０の外周面の曲率と同様な曲率を有する曲面に形成される。
【００２１】
以下、このように構成された本発明に係る圧縮機の支持装置の第１実施形態が前記圧縮機１０と前記ベース１６との間に設置される過程を説明する。
【００２２】
まず、前記第１及び第２支持部材２０、３０と前記複数の連結部材５０とを一体に製作し、前記バネ４０を前記連結部材５０の間に挿入する際に、それら連結部材５０が適切に弾性変形して、前記バネ４０が前記第１支持部材２０と第２支持部材３０との間に挿入される。このとき、前記バネ４０の両方端は、前記第１及び第２支持部材２０、３０のバネ支持部２２、３２に夫々接触して支持され、前記バネ４０の外周面は、前記連結部材５０の内面５４に接触して支持される。
【００２３】
次いで、前記第１支持部材２０のヘッド部２４を前記ブラケット１２の結合孔１４に挿入すると、該結合孔１４に前記第１支持部材２０のブラケット固定部２６が挿入されて、前記第１支持部材２０が前記ブラケット１２に固定される。
【００２４】
その後、前記ベース１６に前記固定軸６０を固定し、該固定軸６０を前記第１及び第２支持部材２０、３０の貫通孔２８、３８に挿入し、前記固定軸６０のリング溝６２に前記スナップリング６４を締結することで、本発明に係る圧縮機の支持装置の第１実施形態の設置が完了する。
【００２５】
このように構成及び設置された本発明に係る圧縮機の支持装置の第１実施形態は、前記バネ４０の両方端が夫々支持される第１及び第２支持部材２０、３０を一体に連結する弾性の連結部材５０が備えられることで、前記バネ４０がその中心軸Ｃの垂直方向に移動したり、前記バネ４０が座屈したり、または前記バネ４０の両方端が前記第１及び第２支持部材２０、３０のバネ支持部２２、３２から離脱したりすることを防止し得るという利点がある。
【００２６】
第２実施形態
以下、本発明に係る圧縮機の支持装置の第２実施形態を図４に基づいて説明する。前述した第１実施形態と同様な部分には同一符号を付して説明は省略する。
【００２７】
本発明に係る圧縮機の支持装置の第２実施形態においては、バネ４０の両方端が夫々支持される第１及び第２支持部材２０、３０のバネ支持部２２、３２において、前記バネ４０の両方端と接触する面に、該バネ４０の両方端の一部が挿入されるバネ支持溝２５、３５が夫々形成される。
【００２８】
ここで、前記バネ支持溝２５、３５は、前記バネ４０の両方端が挿入されるように、平面投影時、リング状に形成され、該バネ４０が移動しないように、前記バネ支持溝２５、３５の幅は、前記バネ４０の厚さと同一であるか、または小さく形成される。
【００２９】
従って、本発明に係る圧縮機の支持装置の第２実施形態は、前記第１及び第２支持部材２０、３０のバネ支持部２２、３２に形成されるバネ支持溝２５、３５に前記バネ４０の両方端が挿入されて支持されるために、前記バネ２０の中心軸Ｃが垂直方向に移動することをさらに防止し得るという利点がある。
【００３０】
一方、本発明に係る圧縮機の支持装置の第２実施形態は、図４に示したように、前記バネ支持溝２５、３５により前記バネ４０の移動が一次的に防止されるために、前記バネ４０は、前記連結部材５０の内面５４に接触せずに、前記連結部材５０の内面５４から若干の間隔をおいて設置されても良い。即ち、前記バネ支持溝２５、３５は、前記連結部材５０の内面から所定間隔をおいて形成されても良い。
【００３１】
このような本発明に係る圧縮機の支持装置の第２実施形態の設置過程及び効果は、前述した第１実施形態と実質的に同様である。
【００３２】
第３実施形態
以下、本発明に係る圧縮機の支持装置の第３実施形態を図５に基づいて説明する。前述した実施形態と同様な部分には同一符号を付して説明は省略する。
【００３３】
本発明に係る圧縮機の支持装置の第３実施形態においては、第１支持部材２０のバネ支持部２２の前記バネ４０の一方端と接触する面に、該バネ４０の一方端の一部が挿入されるバネ支持溝２５が形成され、前記バネ４０の移動が防止されるように、前記バネ支持溝２５から前記バネ４０の中心軸Ｃ方向の一方側には、前記第１及び第２支持部材２０、３０が互いに対向する方向に突出される突出部２１が形成される。
【００３４】
且つ、前記第２支持部材３０のバネ支持部３２の前記バネ４０の他方端と接触する面に、該バネ４０の他方端の一部が挿入されるバネ支持溝３５が形成され、該バネ支持溝３５から前記バネ４０の中心軸Ｃ方向の一方側には、前記第１及び第２支持部材２０、３０が互いに対向する方向に突出される突出部３１が形成される。
【００３５】
このような構造では、前記バネ４０は、収縮された状態で前記第１支持部材２０と第２支持部材３０との間に挿入され、伸張しながら前記バネ４０の両方端が夫々前記バネ支持溝２５、３５に挿入される。
【００３６】
従って、前記バネ４０が前記第１支持部材２０と第２支持部材３０との間に挿入されながら収縮されるように、前記突出部２１、３１の外周には、前記バネ支持溝２５、３５に向かって傾斜をなすガイド面２７、３７を形成する。且つ、前記突出部２１、３１のガイド面２７、３７は、前記バネ４０が挿入された後に伸張するとき、前記バネ４０の両方端が前記バネ支持溝２５、３５に円滑に挿入されるようにする。
【００３７】
また、前記バネ４０が前記第１支持部材２０と第２支持部材３０との間に円滑に挿入されるように、前記ガイド面２７、３７に繋がる前記突出部２１、３１の端部は、前記バネ４０の中心軸Ｃと垂直をなす平面に形成される。
【００３８】
一方、前記バネ支持溝２５、３５は、前記第２実施形態と同様に、連結部材５０の内面から所定間隔をおいて形成することもできるし、図５に示したように、前記連結部材５０と前記突出部２１、３１との間に形成することもできる。ここで、前記バネ４０の外周と前記連結部材５０の内面とは、相互に接触された状態を維持する。
【００３９】
本発明に係る圧縮機の支持装置の第３実施形態の設置過程及び効果は、前述した実施形態と実質的に同様である。
【００４０】
第４実施形態
以下、本発明に係る圧縮機の支持装置の第４実施形態を図６及び図７に基づいて説明する。前述した実施形態と同様な部分には同一符号を付して説明は省略する。
【００４１】
本発明に係る圧縮機の支持装置の第４実施形態においては、ブラケット１２に連結される第１支持部材２０と、該第１支持部材２０と所定間隔を有して配置され、圧縮機が支持されるベース１６に固定される第２支持部材３０と、前記第１支持部材２０及び前記第２支持部材３０の各中央を貫通して前記ベース１６に固定された固定軸６０と、前記第１支持部材２０と第２支持部材３０との間に配置され、その両方端がそれら第１支持部材２０及び第２支持部材３０に夫々接触された状態で支持されて、前記圧縮機の振動を吸収するバネ４０と、該バネ４０の内周面の内側に配置され、前記第１支持部材２０と第２支持部材３０とを一体に連結する少なくとも一つ以上の連結部材１５０と、を含んで構成されている。
【００４２】
また、前記連結部材１５０は、その外面１５６と前記バネ４０の内周面とが相互に接触するように設置され、前記連結部材１５０の外面１５６は、前記バネ４０の内周面の曲率と同様な曲率を有する曲面に形成される。
【００４３】
一方、前記第１及び第２支持部材２０、３０のバネ支持部２２、３２の前記バネ４０の両方端と接触する面は、平面に形成しても良いが、該バネ４０の移動をより確実に防止するために、前記バネ支持部２２、３２に前記バネ４０の両方端の一部が挿入されるバネ支持溝１２５、１３５を形成することが好ましい。
【００４４】
本発明に係る圧縮機の支持装置の第４実施形態の設置過程及び効果は、前述した実施形態と実質的に同様である。
【００４５】
本発明の各実施形態で説明した圧縮機の支持装置の構造に関する技術的思想は、夫々独立して構成することもできるし、相互組み合わせて構成することもできる。
【図面の簡単な説明】
【００４６】
【図１】本発明に係る圧縮機の支持装置の第１実施形態を示した分解斜視図である。
【図２】本発明に係る圧縮機の支持装置の第１実施形態を示した縦断面図である。
【図３】図２のIV-IV断面図である。
【図４】本発明に係る圧縮機の支持装置の第２実施形態を示した縦断面図である。
【図５】本発明に係る圧縮機の支持装置の第３実施形態を示した縦断面図である。
【図６】本発明に係る圧縮機の支持装置の第４実施形態を示した縦断面図である。
【図７】図６のVIII-VIII断面図である。
【図８】従来の圧縮機の支持装置を示した縦断面図である。
【符号の説明】
【００４７】
１０    圧縮機
１２    ブラケット
１６    ベース
２０    第１支持部材
３０    第２支持部材
２１、３１    突出部
２２、３２    バネ支持部
２５、３５    バネ支持溝
２６    ブラケット固定部
２７、３７    ガイド面
２４    ヘッド部
４０    バネ
５０、１５０    連結部材
６０    固定軸
【図１】
2005214413.tif 000003
【図２】
2005214413.tif 000004
【図３】
2005214413.tif 000005
【図４】
2005214413.tif 000006
【図５】
2005214413.tif 000007
【図６】
2005214413.tif 000008
【図７】
2005214413.tif 000009
【図８】
2005214413.tif 000010